(57)【要約】      （修正有）【課題】簡便に調光硝子の一部分だけ光透過性を他の部分と変える、あるいは文字や絵等のデザイン性のある部分の光透過性を他の部分と変える調光フィルムを提供する。【解決手段】２つの透明導電性樹脂基材の少なくとも一方の、前記透明導電膜面にプライマー層を有し、前記プライマー層がある側の一方の透明導電性樹脂基材における前記透明導電膜が、絵又は文字の形状を有するように切り込み線により切断されており、且つ前記切り込み線は、切り込み始点と切り込み終点とが閉じた形状であり、前記絵又は文字の形状の周囲の透明導電性樹脂基材の透明導電膜から電気的に絶縁されている。【効果】フィルムマトリックスと基材との密着性を向上させ、安定した調光機能を発揮する調光フィルムを提供できる。【選択図】なし【特許請求の範囲】
【請求項１】
透明導電膜と透明樹脂基材とを有する透明導電性樹脂基材を２つ、及び、前記２つの透明導電性樹脂基材の透明導電膜側で挟持された調光層を有し、
前記調光層が、樹脂マトリックスと前記樹脂マトリックス中に分散した光調整懸濁液とを含む調光フィルムであって、
前記２つの透明導電性樹脂基材の少なくとも一方の、前記透明導電膜面にプライマー層を有し、
前記プライマー層がある側の一方の透明導電性樹脂基材の透明導電膜が、絵又は文字の形状を有するように切り込み線により切断されており、且つ前記切り込み線は、切り込み始点と切り込み終点とが閉じた形状であり、前記絵又は文字の形状の周囲の透明導電膜から電気的に絶縁されている調光フィルム。
【請求項２】
透明導電膜と透明樹脂基材とを有する透明導電性樹脂基材を２つ、及び、前記２つの透明導電性樹脂基材の透明導電膜側で挟持された調光層を有し、
前記調光層が、樹脂マトリックスと前記樹脂マトリックス中に分散した光調整懸濁液とを含む調光フィルムであって、
前記２つの透明導電性樹脂基材の少なくとも一方の、前記透明導電膜面にプライマー層を有し、
前記プライマー層がある側の一方の透明導電性樹脂基材における前記透明導電膜と前記透明樹脂基材とが、絵又は文字の形状を有するように切り込み線により切断されており、且つ前記切り込み線は、切り込み始点と切り込み終点とが閉じた形状であり、前記絵又は文字の形状の周囲の透明導電性樹脂材の透明導電膜から電気的に絶縁されている調光フィルム。
【請求項３】
透明導電膜と透明樹脂基材とを有する透明導電性樹脂基材を２つ、及び、前記２つの透明導電性樹脂基材の透明導電膜側で挟持された調光層を有し、
前記調光層が、樹脂マトリックスと前記樹脂マトリックス中に分散した光調整懸濁液とを含む調光フィルムであって、
前記２つの透明導電性樹脂基材の少なくとも一方の、前記透明導電膜面にプライマー層を有し、
前記プライマー層がある側の一方の透明導電性樹脂基材における前記透明導電膜と前記プライマー層とが、絵又は文字の形状を有するように切り込み線により切断されており、且つ前記切り込み線は、切り込み始点と切り込み終点とが閉じた形状であり、前記絵又は文字の形状の周囲の透明導電性樹脂基材の透明導電膜から電気的に絶縁されている調光フィルム。
【請求項４】
前記切り込み線がカッティングプロッタを用いて入れられた請求項１〜３のいずれか一項に記載の調光フィルム。
【発明の詳細な説明】
【技術分野】
【０００１】
本発明は、調光機能を有する調光フィルムに関する。
【背景技術】
【０００２】
光調整懸濁液を含む調光硝子は、エドウィン・ランド（Ｅｄｗｉｎ．Ｌａｎｄ）により最初に発明されたもので、その形態は、狭い間隔を有する２枚の透明導電性基材の間に、液体状態の光調整懸濁液を注入した構造になっている（例えば、特許文献１及び２参照）。エドウィン・ランドの発明によると、２枚の透明導電性基材の間に注入されている液状の光調整懸濁液は、電界を印加していない状態では懸濁液中に分散されている光調整粒子のブラウン運動により、入射光の大部分が光調整粒子により反射、散乱又は吸収され、ごく一部分だけが透過することになる。
【０００３】
即ち、光調整懸濁液に分散されている光調整粒子の形状、性質、濃度及び照射される光エネルギーの量により、透過、反射、散乱又は吸収の程度が決められる。前記構造の調光硝子を用いた調光窓に電界を印加すると、透明導電性基材を通じて光調整懸濁液に電場が形成され、光調整機能を表す光調整粒子が分極を起こし、電場に対して平行に配列され、光調整粒子と光調整粒子の間を光が透過し、最終的に調光硝子は透明になる。しかし、このような初期の調光装置は、実用上、光調整懸濁液内での光調整粒子の凝集、自重による沈降、熱による色相変化、光学密度の変化、紫外線照射による劣化、基材の間隔維持及びその間隔内への光調整懸濁液の注入が困難等であるために、実用化が難しかった。
【０００４】
ロバート・エル・サックス（Ｒｏｂｅｒｔ．Ｌ．Ｓａｘｅ）、エフ・シー・ローウェル（Ｆ．Ｃ．Ｌｏｗｅｌｌ）、又はアール・アイ・トンプソン（Ｒ．Ｉ．Ｔｈｏｍｐｓｏｎ）は、調光窓の初期問題点、即ち、光調整粒子の凝集及び沈降、光学密度の変化等を補完した調光硝子を用いた調光窓を開示している（例えば、特許文献３〜９参照）。これらの特許等では、針状の光調整結晶粒子、結晶粒子分散用懸濁剤、分散調整剤及び安定剤等からなる液体状態の光調整懸濁液によって、光調整粒子と懸濁剤の密度を殆ど同様に合わせて光調整粒子の沈降を防止しながら、分散調整剤を添加して光調整粒子の分散性を高めることにより光調整粒子の凝集を防止し、初期の問題点を解決している。
しかし、これらの調光硝子もやはり従来の調光硝子のように、２枚の透明導電性基材の間隔内に液状の光調整懸濁液を封入した構造になっているため、大型製品製造の場合、２枚の透明導電性基材の間隔内への均一な懸濁液の封入が困難で、製品上下間の水圧差による下部の膨張現象が起こりやすい問題がある。また、外部環境、例えば、風圧によって基板の間隔が変化することにより、その結果、光学密度が変化して色相が不均質になり、又は透明導電性基材の間に液体をためるための周辺の密封材が破壊され、光調整材料が漏れる問題がある。また、紫外線による劣化、透明導電性基板の周辺部と中央部間の電圧降下により、応答時間にむらが発生する。
【０００５】
これを改善する方法として、液状の光調整懸濁液を硬化性の高分子樹脂の溶液と混合し、重合による相分離法、溶媒揮発による相分離法、又は温度による相分離法等を利用してフィルムを製造する方法が提案されている（例えば、特許文献１０参照）。
【先行技術文献】
【特許文献】
【０００６】
【特許文献１】米国特許第１，９５５，９２３号明細書
【特許文献２】米国特許第１，９６３，４９６号明細書
【特許文献３】米国特許第３，７５６，７００号明細書
【特許文献４】米国特許第４，２４７，１７５号明細書
【特許文献５】米国特許第４，２７３，４２２号明細書
【特許文献６】米国特許第４，４０７，５６５号明細書
【特許文献７】米国特許第４，４２２，９６３号明細書
【特許文献８】米国特許第３，９１２，３６５号明細書
【特許文献９】米国特許第４，０７８，８５６号明細書
【特許文献１０】特開２００２−１８９１２３号公報
【発明の概要】
【発明が解決しようとする課題】
【０００７】
従来の調光硝子では、電界の印加により調光硝子全体の光透過性が変化するため、調光硝子の一部分だけ光透過性を他の部分と変える、あるいは文字や絵等のデザイン性のある部分の光透過性を他の部分と変えるといったことが困難である。
【０００８】
また、一部分だけ光透過性を他の部分と変える、あるいは文字や絵等のデザイン性のある部分の光透過性を他の部分と変えようとした場合、透明導電性基板を予めパターニングしておく必要があるため、簡便に且つ自在に文字や絵等のデザイン性のある部分の光透過性を他の部分と変えることが困難である。
【０００９】
さらに、硬化してフィルムマトリックスとなる高分子樹脂は、透明導電性基材との密着性を考慮に入れた分子設計にはなっていないため、表面にＩＴＯ等の導電性薄膜が成膜されたＰＥＴフィルム等の基板とフィルムマトリックスとの密着性は悪く、非常にはがれ易い問題がある。
【００１０】
本発明は、簡便に調光硝子の一部分だけ光透過性を他の部分と変える、あるいは文字や絵等のデザイン性のある部分の光透過性を他の部分と変える調光フィルムを提供することを目的とするものである。
【課題を解決するための手段】
【００１１】
本発明者等は、鋭意検討した結果、透明導電性樹脂基材の少なくとも一方にプライマー層を形成し、該プライマー層を有する一方の透明導電性樹脂基材の透明導電膜に絵や文字等の切り込み線を入れ、切り込み始点と切り込み終点を閉じて絵や文字の部分を周囲の透明導電性樹脂基材の透明導電膜から電気的に絶縁することにより上記課題を解決できることを見出した。
【００１２】
すなわち本発明は、透明導電膜と透明樹脂基材とを有する透明導電性樹脂基材を２つ、及び、前記２つの透明導電性樹脂基材の透明導電膜側で挟持された調光層を有し、
前記調光層が、樹脂マトリックスと前記樹脂マトリックス中に分散した光調整懸濁液とを含む調光フィルムであって、
前記２つの透明導電性樹脂基材の少なくとも一方の、前記透明導電膜面にプライマー層を有し、
前記プライマー層がある側の一方の透明導電性樹脂基材の透明導電膜が、絵又は文字の形状を有するように切り込み線により切断されており、且つ前記切り込み線は、切り込み始点と切り込み終点とが閉じた形状であり、前記絵又は文字の形状の周囲の透明導電膜から電気的に絶縁されている調光フィルムに関する。
【００１３】
また、本発明は、透明導電膜と透明樹脂基材とを有する透明導電性樹脂基材を２つ、及び、前記２つの透明導電性樹脂基材の透明導電膜側で挟持された調光層を有し、
前記調光層が、樹脂マトリックスと前記樹脂マトリックス中に分散した光調整懸濁液とを含む調光フィルムであって、
前記２つの透明導電性樹脂基材の少なくとも一方の、前記導電膜面にプライマー層を有し、
前記プライマー層がある側の一方の透明導電性樹脂基材における前記透明導電膜と前記透明樹脂基材とが、絵又は文字の形状を有するように切り込み線により切断されており、且つ前記切り込み線は、切り込み始点と切り込み終点とが閉じた形状であり、前記絵又は文字の形状の周囲の透明導電性樹脂基材の透明導電膜から電気的に絶縁されている調光フィルムに関する。
【００１４】
また、本発明は、透明導電膜と透明樹脂基材とを有する透明導電性樹脂基材を２つ、及び、前記２つの透明導電性樹脂基材の透明導電膜側で挟持された調光層を有し、
前記調光層が、樹脂マトリックスと前記樹脂マトリックス中に分散した光調整懸濁液とを含む調光フィルムであって、
前記２つの透明導電性樹脂基材の少なくとも一方の、前記透明導電膜面にプライマー層を有し、
前記プライマー層がある側の一方の透明導電性樹脂基材における前記透明導電膜と前記プライマー層とが、絵又は文字の形状を有するように切り込み線により切断されており、且つ前記切り込み線は、切り込み始点と切り込み終点とが閉じた形状であり、前記絵又は文字の形状の周囲の透明導電性樹脂基材の透明導電膜から電気的に絶縁されている調光フィルムに関する。
【００１５】
また、本発明の調光フィルムは、前記切り込み線がカッティングプロッタを用いて入れられることが好ましい。
【発明の効果】
【００１６】
本発明の調光フィルムは、簡便に一部分だけ光透過性を他の部分と変える、あるいは文字や絵等のデザイン性のある部分の光透過性を他の部分と変えることができる。
本願の開示は、２００９年２月１３日に出願された特願２００９−３１２１１号に記載の主題と関連しており、それらの開示内容は引用によりここに援用される。
【図面の簡単な説明】
【００１７】
【図１】本発明の調光フィルムの一態様の断面構造概略図である。
【図２】図１の調光フィルムの電界が印加されていない場合の作動を説明するための概略図である。
【図３】図１の調光フィルムの電界が印加されている場合の作動を説明するための概略図である。
【図４】調光フィルムの端部の状態を説明するための概略図である。液滴３の中の光調整粒子１０は図示を省略した。
【図５】実施例１の調光フィルムの印加時と未印加時の外観を示す。
【図６】比較例１の調光フィルムの印加時と未印加時の外観を示す。
【図７】比較例２の調光フィルムの未印加時の裏面の外観の詳細を示す。
【図８】実施例２の調光フィルムの印加時と未印加時の外観を示す。
【図９】実施例３の調光フィルムの印加時と未印加時の外観を示す。
【図１０】実施例４の調光フィルムの印加時と未印加時の外観を示す。
【発明を実施するための形態】
【００１８】
本発明の調光フィルムは、透明導電膜と透明樹脂基材とを有する透明導電性樹脂基材を２つ、及び、前記２つの透明導電性樹脂基材の透明導電膜側で挟持された調光層を有し、
前記調光層が、樹脂マトリックスと前記樹脂マトリックス中に分散した光調整懸濁液とを含む調光フィルムであって、
前記２つの透明導電性樹脂基材の少なくとも一方の、前記透明導電膜面にプライマー層を有し、
（１）前記プライマー層がある側の一方の透明導電性樹脂基材における前記透明導電膜が、（２）前記プライマー層がある側の一方の透明導電性樹脂基材における前記透明導電膜と前記透明樹脂基材とが、あるいは、（３）前記プライマー層がある側の一方の透明導電性樹脂基材における前記導電膜と前記プライマー層とが、
絵又は文字の形状を有するように切り込み線により切断されており、且つ前記切り込み線は、切り込み始点と切り込み終点とが閉じた形状であり、前記絵又は文字の形状の周囲の透明導電性樹脂基材の透明導電膜から電気的に絶縁されていることを特徴とする。
なお、本発明において、前記切り込み線が「切り込み始点と切り込み終点とが閉じた形状」とは、切り込み始点と切り込み終点が一致して、円、楕円、多角形等の二次元的に閉じた領域を形成することにより得られる形状のことをいう。
【００１９】
絵又は文字の形状部分の光透過性を他の部分と変えるためには、透明導電性樹脂基材の透明導電膜が、絵又は文字の形状を有するように切り込み線により切断され、且つ切り込み始点と切り込み終点とが閉じた形状とし、周囲の透明導電性樹脂基材の透明導電膜から電気的に絶縁されていればよい。
本発明においては、上述のように（１）前記プライマー層がある側の一方の透明導電性樹脂基材における前記透明導電膜のみを切り込み線により切断するか、（２）前記プライマー層がある側の一方の透明導電性樹脂基材における前記透明導電膜と前記透明樹脂基材とを切り込み線により切断するか、あるいは、（３）前記プライマー層がある側の一方の透明導電性樹脂基材における前記透明導電膜と前記プライマー層とを切り込み線により切断するようにする。
【００２０】
調光層は、一般に、調光材料を用いて形成することが可能である。本発明における調光材料は、樹脂マトリックスとしての、エネルギー線を照射することにより硬化する高分子媒体と、光調整粒子が流動可能な状態で分散媒中に分散した光調整懸濁液とを含有し、光調整懸濁液中の分散媒が、高分子媒体及びその硬化物と相分離しうるものであることが好ましい。
該調光材料を用いて、２つの透明導電性樹脂基材間等に、高分子媒体から形成された樹脂マトリックス中に光調整懸濁液が分散した調光層を挟持させる。その際、一方の透明導電性樹脂基材は、透明導電膜と調光層との密着性をよくするために、透明導電膜上にプライマー層を有することが重要である。プライマー層を有する一方の透明導電性樹脂基材の透明導電膜のみ、絵や文字等の形状を有するように切り込み線を入れ、且つ切り込み始点と切り込み終点とが閉じた形状とすることで、絵や文字の部分が周囲の透明導電性樹脂基材の透明導電膜から電気的に絶縁し、一部分だけ光透過性を他の部分と変えた、あるいは絵や文字等のデザイン性のある部分の光透過性を他の部分と変えた、本発明の調光フィルムが得られる。
なお、２つの透明導電性樹脂基材の両方にプライマー層が形成されることは密着性の点から好ましい。しかし、絵や文字等の形状の切り込み線は、一方の透明導電性樹脂基材の透明導電膜のみに設ける。
【００２１】
本発明の調光フィルムの調光層では、液状の光調整懸濁液が、高分子媒体が硬化した固体状の樹脂マトリックス内に微細な液滴の形態で分散されている。光調整懸濁液に含まれる光調整粒子は、棒状又は針状であることが好ましい。詳細は後述する。
【００２２】
このような調光フィルムに電界を印加すると、樹脂マトリックス中に分散されている光調整懸濁液の液滴中に、浮遊分散されている電気的双極子モーメントをもつ光調整粒子が、電気的に接続されている部分のみ電界に対し平行に配列される。それにより、液滴が入射光に対して透明な状態に転換され、視野角度による散乱、又は透明性低下が殆どない状態で入射光を透過させる。
【００２３】
本発明においては、プライマー層を有する一方の透明導電性樹脂基材における透明導電膜のみ、絵や文字等の形状を有するように切り込み線を入れ、且つ切り込み始点と切り込み終点とが閉じた形状とする。絵や文字の部分を周囲の透明導電性樹脂基材の透明導電膜から電気的に絶縁させることによって、従来の調光フィルムの問題点、即ち、一部分のみの光透過性を変化させることが困難であるといった問題が解決される。
【００２４】
ここで、透明導電性樹脂基材の透明導電膜を絵や文字等の形状を有するように切り込み線を入れ、絵や文字等の周囲の透明導電膜から電気的に絶縁させる構成としては、下記の３つが主に挙げられる。
（１）前記プライマー層がある側の一方の透明導電性樹脂基材における前記透明導電膜のみ切り込み線により切断する。
（２）前記プライマー層がある側の一方の透明導電性樹脂基材における前記透明導電膜と前記透明樹脂基材とを切り込み線により切断する。
（３）前記プライマー層がある側の一方の透明導電性樹脂基材における前記透明導電膜と前記プライマー層とを切り込み線により切断する。
【００２５】
（１）の構成における形成方法として、具体的には透明導電性樹脂基材の透明導電膜が完全に切断されるように切り込み線を形成した後、プライマー層を形成する方法が挙げられる。
（２）の構成における形成方法として、具体的には、透明導電性樹脂基材の透明樹脂基材側から透明導電膜が積層されている内側へ、透明導電膜が完全に切断されるように切り込み線を形成する方法が挙げられる。透明導電性樹脂基材の透明樹脂基材側から透明導電膜への切り込み線の形成は、調光フィルムの製造において特に制限はないが、例えば、基材に透明導電膜を形成し透明導電性樹脂基材とした後、又は調光フィルムとした後等に、透明樹脂基材側から透明導電膜に向かって切断する方法が挙げられる。調光フィルムをロール状に提供した後にユーザーで実施できることから、調光フィルムとした後に切り込み線を形成することが好ましい。
（３）の構成における形成方法として、具体的には、透明導電性樹脂基材の透明導電膜上に形成されたプライマー層側から、透明導電膜が完全に切断されるように切り込み線を形成する方法が挙げられる。プライマー層から透明導電膜への切り込み線の形成は、例えば、透明樹脂基材に透明導電膜を形成し透明導電性樹脂基材とし、更にプライマー層を形成した後等に、プライマー層側から透明導電膜に向かって切断する方法が挙げられる。
【００２６】
本発明において、透明導電膜への切り込み線の形成は、透明導電膜に切り込み線を入れることができれば特に制限はないが、例えば、カッティングプロッタを用い、絵や文字の切り込み線を入れることが好ましく挙げられる。また、レーザーカッターを用いて切り込み線を形成することも同様に好ましく挙げられる。
【００２７】
次に、本発明の調光フィルムの各層構成について説明する。
＜プライマー層＞
透明導電膜上にプライマー層を有することが重要である。まず、本発明におけるプライマー層について説明する。
本発明におけるプライマー層は、透明導電性樹脂基材の透明導電膜と調光層との密着性が良ければ特に制限はないが、密着性に優れる点から下記（ａ）〜（ｅ）に示すプライマー層の構成が好ましく挙げられる。
（ａ）分子内に水酸基を有する（メタ）アクリレートを含有する材料を用いて形成されたプライマー層。
（ｂ）ペンタエリスリトール骨格を含有するウレタンアクリレートを含有する材料を用いて形成されたプライマー層。
（ｃ）分子内に１つ以上の重合性基を有するリン酸エステルを用いて形成されたプライマー層。
（ｄ）アミノ基を有するシランカップリング剤を用いて形成されたプライマー層。
（ｅ）金属酸化物微粒子を有機バインダー樹脂に分散させた材料を用いて形成されたプライマー層。
【００２８】
以下、プライマー層の好ましい構成の（ａ）〜（ｅ）について示す。
（ａ）分子内に水酸基を有する（メタ）アクリレートを含有する材料を用いて形成されたプライマー層
【００２９】
プライマー層形成に用いる分子内に水酸基を有する（メタ）アクリレートの具体的な例としては、（式１）〜（式８）で表される化合物が挙げられるが、本発明はこれらの例に限定されるものではない。
水酸基を有する（メタ）アクリレートは、さらには水酸基とペンタエリスリトール骨格とを有する（メタ）アクリレートであることがより好ましい。なお、「水酸基とペンタエリスリトール骨格とを有する（メタ）アクリレート」とは、（メタ）アクリレート分子内に水酸基があればペンタエリスリトールの水酸基は全て置換されていても構わないが、好ましくはペンタエリスリトールの少なくとも一つの水酸基が無置換であるものを示す。
ペンタエリスリトール骨格については、下記（ｂ）の構成の段落で説明する。
【００３０】
【化１】
2014146051.tif 000002
【００３１】
【化２】
2014146051.tif 000003
【００３２】
【化３】
2014146051.tif 000004
【００３３】
【化４】
2014146051.tif 000005
【００３４】
【化５】
2014146051.tif 000006
【００３５】
【化６】
2014146051.tif 000007
【００３６】
【化７】
2014146051.tif 000008
【００３７】
【化８】
2014146051.tif 000009
【００３８】
本発明において用いられる分子内に水酸基を有する（メタ）アクリレートは、公知の方法で合成することが出来る。例えば、エポキシエステルの場合、エポキシ化合物と（メタ）アクリル酸とを不活性ガス中でエステル化触媒と重合禁止剤の存在下に反応させることにより得ることができる。
【００３９】
不活性ガスとしては窒素、ヘリウム、アルゴン、二酸化炭素等が挙げられる。これらは単独又は併用して使用することができる。
エステル化触媒としては、トリエチルアミン、ピリジン誘導体、イミダゾール誘導体等の三級窒素を含有する化合物、トリメチルホスフィン、トリフェニルホスフィン等のリン化合物、又はテトラメチルアンモニウムクロライド、トリエチルアミン等のアミン塩等が用いられる。添加量は０．０００００１〜２０質量％、好ましくは０．００１〜１質量％である。
【００４０】
重合禁止剤としてはハイドロキノン、ターシャリーブチルハイドロキノン等のそれ自体公知の重合禁止剤が用いられる。使用量は０．０００００１〜０．１質量％の範囲から選択される。
【００４１】
エポキシエステルの例としては、２−ヒドロキシ−３−フェノキシプロピルアクリレート（商品名：アロニックスＭ−５７００、東亞合成（株）製、あるいは、商品名：エポキシエステルＭ−６００Ａ、共栄社化学（株）製）、２−ヒドロキシ−３−アクリロイロキシプロピルメタクリレート（商品名：ライトエステルＧ−２０１Ｐ、共栄社化学（株）製）、グリセリンジグリシジルエーテルアクリル酸付加物（商品名：エポキシエステル８０ＭＦＡ、共栄社化学（株）製）等が挙げられる。
【００４２】
また、水酸基と、ペンタエリスリトール骨格と、を有する（メタ）アクリレートの場合、ペンタエリスリトール又はジペンタエリスリトール等と、アクリル酸又はメタクリル酸を空気中でエステル化触媒とを、重合禁止剤の存在下に反応させることにより得られる。ペンタエリスリトール又はジペンタエリスリトールに対してアクリル酸あるいはメタクリル酸を付加させる反応方法としては、特公平５−８６９７２号公報、特開昭６３−６８６４２号公報に記載された公知のものが適用できる。
【００４３】
分子内に水酸基を有する（メタ）アクリレートの市販品としては、特にライトエステルＨＯＰ、ライトエステルＨＯＡ、ライトエステルＨＯＰ−Ａ、ライトエステルＨＯＢ、ライトエステルＨＯ−ＭＰＰ、ライトエステルＰ−１Ｍ、ライトエステルＰ−２Ｍ、ライトエステルＧ−１０１Ｐ、ライトエステルＧ−２０１Ｐ、ライトエステルＨＯＢ−Ａ、エポキシエステルＭ−６００Ａ、ライトエステルＨＯ−ＨＨ、ライトアクリレートＨＯＡ−ＨＨ、ＨＯＡ−ＭＰＬ、ＨＯＡ−ＭＰＥ、ライトアクリレートＰ−１Ａ、ライトアクリレートＰＥ−３Ａ、エポキシエステル４０ＥＭ、エポキシエステル７０ＰＡ、エポキシエステル２００ＰＡ、エポキシエステル８０ＭＦＡ、エポキシエステル３００２Ｍ、エポキシエステル３００２Ａ、エポキシエステル３０００ＭＫ、エポキシエステル３０００Ａ(以上、共栄社化学（株）製)、アロニックスＭ−２１５、アロニックスＭ−３０５、アロニックスＭ−３０６、アロニックスＭ−４５１、アロニックスＭ−４０３、アロニックスＭ−４００、アロニックスＭ４０２、アロニックスＭ−４０４、アロニックスＭ−４０６(以上、東亞合成（株）製)、ＰＭ−２１（日本化薬（株）製）、ホスマーＰＰ、ホスマーＰＥ、ホスマーＭ（以上、ユニケミカル（株）製）等が挙げられる。
【００４４】
プライマー層を形成するための材料は、上記の分子内に水酸基を有する（メタ）アクリレート以外に下記の（メタ）アクリレートを用いることができる。使用できる（メタ）アクリレートの例としては次のような化合物が挙げられるが、本発明はこれらの例に限定されるものではない。ソルビトールテトラアクリレート、２−ヒドロキシ−３−アクリロイロキシプロピルメタクリレート、２−ヒドロキシ−３−フェノキシプロピルアクリレート、２−アクリロイロキシ−２−ヒドロキシエチルフタル酸、エチレングリコールジグリシジルエーテルのメタクリル酸付加物、トリプロピレングリコールジグリシジルエーテルのアクリル酸付加物、ビスフェノールＡジグリシジルエーテルのメタクリル酸あるいはアクリル酸付加物、ビスフェノールＡプロピレンオキシド２ｍｏｌ付加体ジグリシジルエーテルのメタクリル酸あるいはアクリル酸付加物、２−ヒドロキシエチルメタクリレート、２−ヒドロキシプロピルメタクリレート、２−ヒドロキシエチルアクリレート、２−ヒドロ
キシプロピルアクリレート、２−ヒドロキシブチルメタクリレート、ソルビトールペンタアクリレート等のアクリル酸エステル類；ペンタエリスリトールジメタクリレート、ペンタエリスリトールトリメタクリレート、ソルビトールテトラメタクリレート、ジペンタエリスリトールジメタクリレート、ジペンタエリスリトールトリメタクリレート、ジペンタエリスリトールテトラメタクリレート等のメタクリル酸エステル類；ペンタエリスリトールジクロトネート、ペンタエリスリトールトリクロトネート等のクロトン酸エステル類；ペンタエリスリトールジイタコネート、ペンタエリスリトールトリイタコネート、ジペンタエリスリトールトリイタコネート、ジペンタエリスリトールペンタイタコネート等のイタコン酸エステル類、イソシアヌル酸エチレンオキシド変性ジアクリレート。
【００４５】
プライマー層形成に用いる分子内に水酸基を有する（メタ）アクリレートは、必要によりそれ以外の（メタ）アクリレートを併用して、熱重合開始剤あるいは光重合開始剤を用いて硬化させて薄膜とすることが好ましい。熱硬化法、光硬化法は、特に制限はなく、通常の各硬化法を適用することができる。
【００４６】
本発明に用いられる熱重合開始剤としては、熱により分解してラジカルを生成して重合性化合物の重合を開始し得るものであればよく、有用なラジカル開始剤は既知の開始剤であり、有機過酸化物、アゾニトリル等を挙げることができるが、これらに限定されるものではない。有機過酸化物には、アルキルパーオキシド、アリールパーオキシド、アシルパーオキシド、アロイルパーオキシド、ケトンパーオキシド、パーオキシカボネート、パーオキシカーボキシレート等が含まれる。
アルキルパーオキシドとしては、ジイソプロピルパーオキシド、ジターシャリーブチルパーオキシド、ジターシャリーアミルパーオキシド、ターシャリーブチルパーオキシ−２−エチルヘキサノエート、ターシャリーアミルパーオキシ−２−エチルヘキサノエート、ターシャリーブチルヒドロ−パーオキシド等が挙げられる。
アリールパーオキシドとしては、ジクミルパーオキシド、クミルヒドロパーオキシド等が挙げられる。
アシルパーオキシドとしては、ジラウロイルパーオキシド等が挙げられる。
アロイルパーオキシドとしては、ジベンゾイルパーオキシド等が挙げられる。
ケトンパーオキシドとしては、メチルエチルケトンパーオキシド、シクロヘキサノンパーオキシド等を挙げることができる。
アゾニトリルとしては、アゾビスイソブチロニトリル、アゾビスイソプロピルニトリル等が挙げられる。
【００４７】
熱重合開始剤の市販品としては、特にパーロイルＩＢ、パークミルＮＤ、パーロイルＮＰＰ、パーロイルＩＰＰ、パーロイルＳＢＰ、パーオクタＮＤ、パーロイルＴＣＰ、パーロイルＯＰＰ、パーヘキシルＮＤ、パーブチルＮＤ、パーブチルＮＨＰ、パーヘキシルＰＶ、パーブチルＰＶ、パーロイル３５５、パーロイルＬ、パーオクタＯ、パーロイルＳＡ、パーヘキサ２５Ｏ、パーヘキシルＯ、ナイパーＰＭＢ、パーブチルＯ、ナイパーＢＭＴ、ナイパーＢＷ、パーヘキサＭＣ、パーヘキサＴＭＨ（以上、日油（株）製）、アゾ化合物、特に、２，２’−アゾビス（４−メトキシ−２，４−ジメチルバレロニトリル）、２，２’−アゾビス（２，４−ジメチルバレロニトリル）、２，２’−アゾビス（２−メチル−ブチロニトリル）、２，２’−アゾビス（Ｎ−（２−プロペニル）−２−メチルプロピオンアミド）及び／又はジメチル２，２’−アゾビス（２−メチルプロピオネート）、ジメチル２，２’−アゾイソブチレート等が挙げられる。
【００４８】
光重合開始剤としては、光照射により分解してラジカルを発生して重合性化合物の重合を開始し得るものであればよく、例えばアセトフェノン、アセトフェノンベンジルケタール、１−ヒドロキシシクロヘキシルフェニルケトン、２，２−ジメトキシ−２−フェニルアセトフェノン、キサントン、フルオレノン、ベンズアルデヒド、アントラキノン、トリフェニルアミン、カルバゾール、３−メチルアセトフェノン、４−クロロベンゾフェノン、４，４’−ジメトキシベンゾフェノン、４，４’−ジアミノベンゾフェノン、ミヒラーケトン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−[４−（メチルチオ）フェニル]−２−モルホリノ−プロパン−１−オン、２，４，６−トリメチルベンゾイルジフェニルフォスフィンオキサイド、ビス−（２，６−ジメトキシベンゾイル）−２，４，４−トリメチルペンチルフォスフィンオキシド等が挙げられるが、これらに限定されるものではない。
【００４９】
光重合開始剤の市販品としては、イルガキュア６５１、イルガキュア１８４、イルガキュア５００、イルガキュア２９５９、イルガキュア１２７、イルガキュア７５４、イルガキュア９０７、イルガキュア３６９、イルガキュア３７９、イルガキュア３７９ＥＧ、イルガキュア１３００、イルガキュア８１９、イルガキュア８１９ＤＷ、イルガキュア１８００、イルガキュア１８７０、イルガキュア７８４、イルガキュアＯＸＥ０１、イルガキュアＯＸＥ０２、イルガキュア２５０、イルガキュアＰＡＧ１０３、イルガキュアＰＡＧ１０８、イルガキュアＰＡＧ１２１、イルガキュアＰＡＧ２０３、ダロキュア１１７３、ダロキュアＭＢＦ、ダロキュアＴＰＯ、ダロキュア４２６５、ダロキュアＥＤＢ、ダロキュアＥＨＡ（以上、チバ・ジャパン（株）製）、Ｃ００１４、Ｂ１２２５、Ｄ１６４０、Ｄ２３７５、Ｄ２９６３、Ｍ１２４５、Ｂ０１０３、Ｃ１１０５、Ｃ０２９２、Ｅ００６３、Ｐ０２１１、Ｉ０６７８、Ｐ１４１０、Ｐ１３７７、Ｍ１２０９、Ｆ０３６２、Ｂ０１３９、Ｂ１２７５、Ｂ０４８１、Ｄ１６２１、Ｂ１２６７、Ｂ１１６４、Ｃ０１３６、Ｃ１４８５、Ｉ０５９１、Ｆ００２１、Ａ００６１、Ｂ００５０、Ｂ０２２１、Ｂ００７９、Ｂ０２２２、Ｂ１０１９、Ｂ１０１５、Ｂ０９４２、Ｂ０８６９、Ｂ００８３、Ｂ２３８０、Ｂ２３８１、Ｄ１８０１、Ｄ３３５８、Ｄ２２４８、Ｄ２２３８、Ｄ２２５３、Ｂ１２３１、Ｍ０７９２、Ａ１０２８、Ｂ０４８６、Ｔ０１５７、Ｔ２０４１、Ｔ２０４２、Ｔ１１８８、Ｔ１６０８（以上、東京化成工業（株）製）が挙げられる。
【００５０】
（ｂ）ペンタエリスリトール骨格を含有するウレタンアクリレートを含有する材料を用いて形成されたプライマー層
ここで、「ペンタエリスリトール骨格」とは、下記式（ａ）に示す構造を示す。「ペンタエリスリトール骨格を含有するウレタンアクリレート」とは、具体的には、ウレタンアクリレート分子内に存在するペンタエリスリトールの水酸基の少なくとも１つの水素がカルバモイル基で置換され、且つ少なくとも１つの水酸基が（メタ）アクリル酸でエステル化された構造を有する。このとき、カルバモイル基、（メタ）アクリル酸も置換基を有していてもよい。なお、カルバモイル基で置換された水酸基と、（メタ）アクリル酸でエステル化された水酸基が、下記式（ａ）で示される同一のペンタエリスリトール骨格に結合する水酸基である必要はない。
【００５１】
【化９】
2014146051.tif 000010
【００５２】
また、本発明におけるペンタエリスリトール骨格を含有するウレタンアクリレートは、ペンタエリスリトール骨格として、酸素を介して２つつながったジペンタエリスリトールを有することも好ましい。その場合も、ペンタエリスリトールの水酸基の少なくとも１つの水素がカルバモイル基で置換され、且つ少なくとも１つの水酸基が（メタ）アクリル酸でエステル化されたものである。このとき、カルバモイル基、（メタ）アクリル酸も置換基を有していてもよい。
【００５３】
さらには、ＩＰＤＩ（３−イソシアネートメチル−３，５，５−トリメチルシクロヘキシルイソシアネート）も同時に含有することがより好ましい。また、このウレタンアクリレートはさらに分子内に水酸基を含有することが好ましい。
ここで、「ＩＰＤＩ（３−イソシアネートメチル−３，５，５−トリメチルシクロヘキシルイソシアネート）骨格」とは、下記式（ｂ）に示す構造を示す。
【００５４】
【化１０】
2014146051.tif 000011
【００５５】
ペンタエリスリトール骨格を含有するウレタンアクリレートの例としては、具体的には、下記（式９）〜（式１５）で表される化合物が挙げられる。
【００５６】
【化１１】
2014146051.tif 000012
【００５７】
【化１２】
2014146051.tif 000013
【００５８】
【化１３】
2014146051.tif 000014
【００５９】
【化１４】
2014146051.tif 000015
【００６０】
【化１５】
2014146051.tif 000016
【００６１】
【化１６】
2014146051.tif 000017
【００６２】
【化１７】
2014146051.tif 000018
【００６３】
なお、（式１３）〜（式１５）においてＲは、全て同じでも異なっていてもよい、下記に示されるものであり、少なくとも一つ以上がＨであることが好ましい。
【００６４】
【化１８】
2014146051.tif 000019
【００６５】
ペンタエリスリトール骨格を含有するウレタンアクリレートは公知の方法で合成することが出来る。例えば、一般的にウレタンアクリレートは、ポリオール化合物、ポリイソシアネート化合物等の水酸基と、水酸基含有（メタ）アクリレートとを公知の方法で反応させて得られることから、ペンタエリスリトール骨格を含有するウレタンアクリレートも同様に、例えば、以下の製法１〜製法４のいずれかで製造することが可能である。
（製法１）：ポリオール化合物、ポリイソシアネート化合物及びペンタエリスリトール骨格含有（メタ）アクリレートを一括して仕込んで反応させる方法。
（製法２）：ポリオール化合物及びポリイソシアネート化合物を反応させ、次いでペンタエリスリトール骨格含有（メタ）アクリレートを反応させる方法。
（製法３）：ポリイソシアネート化合物及びペンタエリスリトール骨格含有（メタ）アクリレートを反応させ、次いでポリオール化合物を反応させる方法。
（製法４）：ポリイソシアネート化合物及びペンタエリスリトール骨格含有（メタ）アクリレートを反応させ、次いでポリオール化合物を反応させ、最後にまたペンタエリスリトール骨格含有（メタ）アクリレートを反応させる方法。
また、これらの反応には触媒を用いてもよく、例えば、ラウリル酸ジブチル錫等の錫系の触媒、三級アミン系触媒等が用いられる。
【００６６】
上記製法１〜製法４において用いられるペンタエリスリトール骨格含有（メタ）アクリレートとしては、例えば、ペンタエリスリトールジアクリレート、ペンタエリスリトールトリアクリレート、ジペンタエリスリトールペンタアクリレート、ジペンタエリスリトールテトラアクリレート等の水酸基含有（メタ）アクリレート等が挙げられる。
【００６７】
上記製法１〜製法４において用いられるポリイソシアネート化合物としては、例えば２，４−トリレンジイソシアネート、２，６−トリレンジイソシアネート、１，３−キシリレンジイソシアネート、１，４−キシリレンジイソシアネート、１，５−ナフタレンジイソシアネート、ｍ−フェニレンジイソシアネート、ｐ−フェニレンジイソシアネート、３，３’−ジメチル−４，４’−ジフェニルメタンジイソシアネート、４，４’−ジフェニルメタンジイソシアネート、３，３’−ジフェニルメタンジイソシアネート、４，４’−ビフェニレンジイソシアネート、１，６−ヘキサンジイソシアネート、イソホロンジイソシアネート(３−イソシアネートメチル−３，５，５−トリメチルシクロヘキシルイソシアネート)、メチレンビス（４−シクロヘキシルイソシアネート）、２，２，４−トリメチルヘキサメチレンジイソシアネート、１，４−ヘキサメチレンジイソシアネート、ビス（２−イソシアネートエチル）フマレート、６−イソプロピル−１，３−フェニルジイソシアネート、４−ジフェニルプロパンジイソシアネート、リジンジイソシアネート等が挙げられる。
【００６８】
ペンタエリスリトール骨格を含有するウレタンアクリレートは、ペンタエリスリトール骨格を含有するウレタンアクリレートを含む市販品を用いることもでき、例えば、ＵＡ−３０６Ｈ、ＵＡ−３０６Ｉ、ＵＡ−３０６Ｔ、ＵＡ−５１０Ｈ（共栄社化学（株）製）等が挙げられる。
【００６９】
ペンタエリスリトール骨格とＩＰＤＩ骨格の両方を含有するウレタンアクリレートは、上記製法１〜製法４のうち、ポリイソシアネート化合物としてイソホロンジイソシアネートを用いることにより得ることができる。
また、市販品を用いることもでき、ペンタエリスリトール骨格とＩＰＤＩ骨格の両方を含有するウレタンアクリレートを含む市販品として、具体的には下記に例示できる。
ＵＶＨＣ３０００（モメンンティブ・パフォーマンス・マテリアルズ合同会社製）、ＵＶＨＣ７０００（モメンンティブ・パフォーマンス・マテリアルズ合同会社製）等が挙げられる。
【００７０】
（ｃ）分子内に１つ以上の重合性基を有するリン酸エステルを用いて形成されたプライマー層
プライマー層を形成するための材料として、分子内に１つ以上の重合性基を有するリン酸エステルが挙げられ、好ましくは分子内に１つ以上の重合性基を有するリン酸モノエステルあるいはリン酸ジエステルが挙げられる。分子内に１つ以上の重合性基を有するリン酸エステルは、通常、エステル部分に重合性基を有し、好ましくは１つのエステル部分に１つの重合性基を有する。分子内の重合性基の個数は１個又は２個であることが好ましい。また、リン酸エステルは、好ましくは、分子内に（ポリ）エチレンオキサイド、（ポリ）プロピレンオキサイド等の（ポリ）アルキレンオキサイド構造を有する。
【００７１】
重合性基として、エネルギー線の照射により重合する基が好ましく、例えば、（メタ）アクリロイルオキシ基等のエチレン性不飽和二重結合を有する基がある。
より具体的には、プライマー層を形成するための材料は、分子内に（メタ）アクリロイルオキシ基を有するリン酸モノエステルあるいはリン酸ジエステルであることが好ましい。
【００７２】
（メタ）アクリロイルオキシ基を有するリン酸モノエステルあるいはリン酸ジエステルの例としては、（式１６）又は（式１７）で表される化合物が挙げられる。
【００７３】
【化１９】
2014146051.tif 000020
（式中、Ｒ１はそれぞれ独立に炭素数１〜４個の直鎖もしくは分岐アルキレン基を示し、ｍは１以上の整数であり、ｎは１又は２である。Ｘは、それぞれ独立に
【００７４】
【化２０】
2014146051.tif 000021
から選択される。）
ｍは好ましくは１〜１０、より好ましくは１〜６である。
【００７５】
【化２１】
2014146051.tif 000022
（式中、Ｒ１及びＲ２はそれぞれ独立に炭素数１〜４個の直鎖もしくは分岐アルキレン基を示し、ｌ及びｍはそれぞれ独立に１以上の整数であり、ｎは１又は２である。Ｘは、それぞれ独立に
【００７６】
【化２２】
2014146051.tif 000023
から選択される。）
ｌは好ましくは１〜１０、より好ましくは１〜５である。ｍは好ましくは１〜５、より好ましくは１〜２である。
【００７７】
また、これらの（メタ）アクリロイルオキシ基を有するリン酸モノエステルあるいはリン酸ジエステルは混合して用いられても良く、他の（メタ）アクリレート等と混合して用いられても良い。
分子内に１つ以上の重合性基を有するリン酸エステルとして、日本化薬（株）製のＰＭ−２１（下記式ｃ）、共栄社（株）製のＰ−２Ｍ（下記式ｄ）、Ｐ−１Ｍ（下記式ｅ）、ユニケミカル（株）製のホスマーＰＥ（下記式ｆ）、ホスマーＰＰ（下記式ｇ）等が挙げられる。
【００７８】
【化２３】
2014146051.tif 000024
【００７９】
（ｄ）アミノ基を有するシランカップリング剤を用いて形成されたプライマー層
アミノ基を有するシランカップリング剤の例としては、（式１８）又は（式１９）で表される化合物が挙げられる。
【００８０】
【化２４】
2014146051.tif 000025
（式１８中、Ｒ１及びＲ２はそれぞれ独立に炭素数１〜４個の直鎖もしくは分岐アルキレン基を示し、Ｒ３はそれぞれ独立に炭素数１〜４個の直鎖もしくは分岐アルキル基を示し、Ｒ４はそれぞれ独立にメチル基又はエチル基を示す。ｎは０〜２の整数である。）
【００８１】
【化２５】
2014146051.tif 000026
（式１９中、Ｒ１は炭素数１〜４個の直鎖もしくは分岐アルキレン基を示し、Ｒ２はそれぞれ独立に炭素数１〜４個の直鎖もしくは分岐アルキル基を示し、Ｒ３はそれぞれ独立にメチル基又はエチル基を示す。ｎは０〜２の整数である。）
アミノ基を有するシランカップリング剤として、信越シリコーン（株）製のＫＢＭ−６０３（下記式ｈ）等が挙げられる。
【化２６】
2014146051.tif 000027
【００８２】
（ｅ）金属酸化物微粒子を有機バインダー樹脂に分散させた材料を用いて形成されたプライマー層
プライマー層は、金属酸化物微粒子を有機バインダー樹脂に分散させた薄膜で形成されたものであることも好ましい。このプライマー層は、有機バインダー樹脂としての重合性モノマーあるいはオリゴマーを熱あるいは光で硬化させた薄膜で形成されることが好ましい。
また、上記（ａ）〜（ｄ）のプライマー層構成で用いる材料を有機バインダー樹脂として用いることも可能である。
【００８３】
このプライマー層の有機バインダー樹脂の一部は（メタ）アクリレートあるいはエポキシあるいはその両方から成る薄膜で形成されていることがさらに好ましい。
金属酸化物微粒子は、ＺｒＯ２、ＳｉＯ２、ＩＴＯ、ＴｉＯ２、ＺｎＯ、Ａｌ２Ｏ３、ＧＺＯ、コバルトブルー、ＣｅＯ２、ＢｉＯ３、ＣｏＯ、ＣｕＯ、Ｆｅ２Ｏ３（α）、Ｆｅ２Ｏ３（γ）、Ｈｏ２Ｏ３、Ｍｎ３Ｏ４、ＳｎＯ２、Ｙ２Ｏ３、ＡＺＯ、ＭｇＯ、Ｃｏ３Ｏ４のいずれか、あるいはそれらの混合物であることが好ましい。
【００８４】
また、本発明における金属酸化物微粒子は、調光フィルムのヘイズを増加させないために平均粒径が１００ｎｍ以下であることが好ましく、５０ｎｍ以下であることがさらに好ましい。
本発明において、平均粒径とはＢＥＴ法による比表面積測定装置より測定した比表面積より、下記式を用いて算出された粒径である。
平均粒径（ｎｍ）＝６０００／（密度［ｇ／ｃｍ３］×比表面積［ｍ２／ｇ］）
上記範囲の平均粒径を有する金属酸化物微粒子は、市販品を適宜選択すればいい。
【００８５】
さらには、金属酸化物微粒子含有の薄膜は、スパッタ法、真空蒸着等のドライプロセスで成膜されていても、溶液あるいは分散液から塗布したウェットプロセスで成膜されていても良い。
【００８６】
金属酸化物微粒子含有の薄膜が、ウェットプロセスから成膜した場合、金属酸化物微粒子単独の薄膜では透明導電性樹脂基材との密着性が悪く、調光フィルムと透明導電性樹脂基材との密着性向上効果が小さい場合もあるため、金属酸化物微粒子が有機バインダー樹脂に分散されて成膜されていることが好ましい。
【００８７】
上記（ｅ）のプライマー層に用いられる、金属酸化物微粒子を分散させる有機バインダー樹脂は、溶液から成膜し易いものであれは特に限定は無く、高分子樹脂あるいは溶液から塗布後に熱あるいは光重合させて成膜する重合性モノマーあるいはオリゴマーであっても良い。
【００８８】
重合性モノマーあるいはオリゴマーの具体的な例としては、前記（ａ）のプライマー層で用いられる前記の（メタ）アクリレートあるいは前記（ｂ）のプライマー層に用いるウレタンアクリレートを用いても良いし、それ以外の、水酸基を含有しない（メタ）アクリレートであってもよい。水酸基を含有しない（メタ）アクリレートとして、エチレングリコールジメタクリレート、ジエチレングリコールジメタクリレート、トリエチレングリコールジメタクリレート、テトラエチレングリコールジメタクリレート、ノナエチレングリコールジメタクリレート、テトラデカエチレングリコールジメタクリレート、１，４−ブタンジオールジメタクリレート、ネオペンチルグリコールジメタクリレート、１，６−ヘキサンジオールジメタクリレート、１，９−ノナンジオールジメタクリレート、１，１０−デカンジオールジメタクリレート、ジメチロールトリシクロデカンジメタクリレート、ビスフェノールＡのエチレンオキシド付加物のジメタクリレート、トリメチロールプロパントリメタクリレート、トリエチレングリコールジアクリレート、テトラエチレングリコールジアクリレート、ノナエチレングリコールジアクリレート、テトラデカエチレングリコールジアクリレート、ポリテトラメチレングリコールジアクリレート、ネオペンチルグリコールジアクリレート、３−メチル−１，５−ペンタンジオールジアクリレート、１，６−ヘキサンジオールジアクリレート、２−ブチル−２−エチル−１，３−プロパンジオールジアクリレート、１，９−ノナンジオールジアクリレート、ジメチロールトリシクロデカンジアクリレート、ビスフェノールＡのエチレンオキシド付加物のジアクリレート、ビスフェノールＡのプロピレンオキシド付加物のジアクリレート、トリメチロールプロパンアクリル酸安息香酸エステル、ヒドロキシピバリン酸ネオペンチルグリコールジアクリレート、トリメチルロールプロパントリアクリレート、エチレンオキシド変性トリメチロールプロパントリアクリレート、プロピレンオキシド変性トリメチロールプロパントリアクリレート、ペンタエリスリトールテトラアクリレート、ジペンタエリスリトールヘキサアクリレート、イソシアヌル酸エチレンオキシド変性トリアクリレート、ポリプロピレングリコールジアクリレート、ポリエチレングリコールジアクリレート、ε−カプロラクトン変性トリス（アクロキチエチル）イソシアヌレート、フェニルグリシジルエーテルアクリレートウレタンプレポリマー等を単独あるいは混合して用いても良い。なお、本発明はこれらの例に限定されるものではない。
【００８９】
重合性モノマーあるいはオリゴマーの市販品としては、ライトエステルＥＧ、ライトエステル２ＥＧ、ライトエステル３ＥＧ、ライトエステル４ＥＧ、ライトエステル９ＥＧ、ライトエステル１４ＥＧ、ライトエステル１，４ＢＧ、ライトエステルＮＰ、ライトエステル１，６ＨＸ、ライトエステル１，９ＮＤ、ライトエステル１．１０ＤＣ、ライトエステルＤＣＰ−Ｍ、ライトエステルＢＰ−２ＥＭＫ、ライトエステルＢＰ−４ＥＭ、ライトエステルＢＰ−６ＥＭ、ライトエステルＴＭＰ、ライトアクリレート３ＥＧ−Ａ、ライトアクリレート４ＥＧ−Ａ、ライトアクリレート９ＥＧ−Ａ、ライトアクリレート１４ＥＧ−Ａ、ライトアクリレートＰＴＭＧＡ−２５０、ライトアクリレートＮＰ−Ａ、ライトアクリレートＭＰＤ−Ａ、ライトアクリレート１，６ＨＸ−Ａ、ライトアクリレートＢＥＰＧ−Ａ、ライトアクリレート１，９ＮＤ−Ａ、ライトアクリレートＭＯＤ−Ａ、ライトアクリレートＤＣＰ−Ａ、ライトアクリレートＢＰ−４ＥＡ、ライトアクリレートＢＰ−４ＰＡ、ライトアクリレートＢＡ−１３４、ライトアクリレートＢＰ−１０ＥＡ、ライトアクリレートＨＰＰ−Ａ、ライトアクリレートＴＭＰ−Ａ、ライトアクリレートＴＭＰ−３ＥＯ−Ａ、ライトアクリレートＴＭＰ−６ＥＯ−３Ａ、ライトアクリレートＰＥ−４Ａ、ライトアクリレートＤＰＥ−６Ａ、ＡＴ−６００、ＡＨ−６００（以上、共栄社化学（株）製）、アロニックスＭ−２１５、アロニックスＭ−２２０、アロニックスＭ−２２５、アロニックスＭ−２７０、アロニックスＭ−２４０、アロニックスＭ−３１０、アロニックスＭ−３２１、アロニックスＭ−３５０、アロニックスＭ−３６０、アロニックスＭ−３７０、アロニックスＭ−３１５、アロニックスＭ−３２５、アロニックスＭ−３２７（以上、東亞合成（株）製）等が挙げられる。
【００９０】
なお、金属酸化物微粒子のプライマー層における好ましい含有量は、例えば、調光フィルムのヘイズ上昇抑制の点から、プライマー層の材料全体（乾燥、硬化させた後のプライマー層全体）に対して４．５〜９５質量％である。
【００９１】
プライマー層に金属酸化物微粒子を用いると、高い硬度のプライマー層を得ることが可能となり、調光層と透明導電性樹脂基材の透明導電膜との密着性を向上させるだけでなく、調光層を剥がして電極を取り出す際に、下地透明導電膜に傷が付きにくくなる効果がある。
【００９２】
プライマー層形成に重合性モノマーあるいはオリゴマーを用いる場合、熱重合開始剤あるいは光重合開始剤を用いて硬化させて薄膜とすることが好ましい。熱硬化法、光硬化法は、特に制限はなく、通常の各硬化法を適用することができ、熱重合開始剤及び光重合開始剤は前述と同様のものを用いることができる。
【００９３】
本発明において、（ａ）〜（ｅ）のいずれのプライマー層であっても、プライマー層の膜厚は、５００ｎｍ以下であることが好ましく、さらに１ｎｍ〜５００ｎｍの膜厚であることがより好ましい。好ましくは１０ｎｍ〜５００ｎｍ、さらに好ましくは１０ｎｍ〜２００ｎｍ、また、より好ましくは４０ｎｍ〜１００ｎｍである。
膜厚が１ｎｍ以上であると充分な接着強度を発現できる。また、膜厚が５００ｎｍ以下であることによりプライマー層のタックが強すぎることなく、プライマー層を塗工してロールに巻き取った後に、プライマー層が透明樹脂基材のフィルム裏面に転写する、あるいは調光フィルム製造時にラミネートする側の透明樹脂基材のフィルムの位置合わせが困難になるといった不具合が生じにくい傾向がある。
プライマー層の膜厚は紫外・可視光線の反射率分光法、Ｘ線反射率測定、エリプソメトリー等によって測定可能である。
【００９４】
＜調光層＞
本発明における調光層は、樹脂マトリックスと該樹脂マトリックス中に分散した光調整懸濁液とを含む調光材料からなる。なお、樹脂マトリックスは、高分子媒体からなり、光調整懸濁液は、光調整粒子が流動可能な状態で分散媒中に分散したものである。高分子媒体及び分散媒（光調整懸濁液中の分散媒）としては、高分子媒体及びその硬化物と分散媒とが、少なくともフィルム化したときに互いに相分離しうるものを用いる。互いに非相溶又は部分相溶性の高分子媒体と分散媒とを組み合わせて用いることが好ましい。
【００９５】
本発明において用いられる高分子媒体は、（Ａ）エチレン性不飽和結合を有する置換基を持つ樹脂及び（Ｂ）光重合開始剤を含み、紫外線、可視光線、電子線等のエネルギー線を照射することにより硬化するものが挙げられる。（Ａ）エチレン性不飽和結合を有する樹脂としては、シリコーン系樹脂、アクリル系樹脂、ポリエステル樹脂等が合成容易性、調光性能、耐久性等の点から好ましい。これらの樹脂は、置換基として、メチル基、エチル基、プロピル基、イソプロピル基、ブチル基、イソブチル基、ｔｅｒｔ−ブチル基、アミル基、イソアミル基、ヘキシル基、シクロヘキシル基等のアルキル基、フェニル基、ナフチル基等のアリール基を有することが、調光性能、耐久性等の点から好ましい。
【００９６】
前記シリコーン系樹脂の具体例としては、例えば、特公昭５３−３６５１５号公報、特公昭５７−５２３７１号公報、特公昭５８−５３６５６号公報、特公昭６１−１７８６３号公報等に記載の樹脂を挙げることができる。
【００９７】
前記シリコーン系樹脂は、例えば、両末端シラノールポリジメチルシロキサン、両末端シラノールポリジフェニルシロキサン−ジメチルシロキサンコポリマー、両末端シラノールポリジメチルジフェニルシロキサン等の両末端シラノールシロキサンポリマー、トリメチルエトキシシラン等のトリアルキルアルコキシシラン、（３−アクリロキシプロピル）メチルジメトキシシラン等のエチレン性不飽和結合含有シラン化合物等を、２−エチルヘキサン錫等の有機錫系触媒の存在下で、脱水素縮合反応及び脱アルコール反応させて合成される。シリコーン系樹脂の形態としては、無溶剤型が好ましく用いられる。すなわち、シリコーン系樹脂の合成に溶剤を用いた場合には、合成反応後に溶剤を除去することが好ましい。
【００９８】
なお、シリコーン系樹脂の製造時の各種原料の仕込み配合において、（３−アクリロキシプロピル）メトキシシラン等のエチレン性不飽和結合含有シラン化合物の量は、原料シロキサン及びシラン化合物総量の１９〜５０質量％とすることが好ましく、２５〜４０質量％とすることがより好ましい。エチレン性不飽和結合含有シラン化合物の量は、１９質量％未満であると最終的に得られる樹脂のエチレン性不飽和結合濃度が所望の濃度より低くなりすぎる傾向があり、５０質量％を超えると得られる樹脂のエチレン性不飽和結合濃度が所望の濃度より高くなりすぎる傾向がある。
【００９９】
前記アクリル系樹脂は、例えば、（メタ）アクリル酸アルキルエステル、（メタ）アクリル酸アリールエステル、（メタ）アクリル酸ベンジル、スチレン等の主鎖形成モノマーと、（メタ）アクリル酸、（メタ）アクリル酸ヒドロキシエチル、（メタ）アクリル酸イソシアナトエチル、（メタ）アクリル酸グリシジル等のエチレン性不飽和結合導入用官能基含有モノマー等を共重合して、プレポリマーを一旦合成し、次いで、このプレポリマーの官能基と反応させるべく（メタ）アクリル酸グリシジル、（メタ）アクリル酸イソシアナトエチル、（メタ）アクリル酸ヒドロキシエチル、（メタ）アクリル酸等のモノマーを前記プレポリマーに付加反応させることにより得ることができる。
また、前記ポリエステル樹脂は、特に制限はなく、公知の方法で容易に製造できるものが挙げられる。
【０１００】
これら（Ａ）エチレン性不飽和結合を有する樹脂のゲルパーミエーションクロマトグラフィーによって得られるポリスチレン換算の重量平均分子量は、２０，０００〜１００，０００であることが好ましく、３０，０００〜８０，０００であることがより好ましい。
【０１０１】
エチレン性不飽和結合を有する樹脂のエチレン性不飽和結合濃度は、好ましくは０．３モル／ｋｇ〜０．５モル／ｋｇとされる。この濃度が０．３モル／ｋｇ以上であると、調光フィルム端部の処理が容易に行え、相対する透明電極間がショートすることもなく電気的信頼性が劣る傾向もない。一方この濃度が０．５モル／ｋｇ以下であると硬化した高分子媒体が、光調整懸濁液の液滴を構成する分散媒に溶け込みにくく、溶け込んだ高分子媒体が液滴中の光調整粒子の動きを阻害し、調光性能が低下することを回避できる。
【０１０２】
（Ａ）エチレン性不飽和結合を有する樹脂のエチレン性不飽和結合濃度は、ＮＭＲの水素の積分強度比から求められる。また、仕込み原料の樹脂への転化率がわかる場合は、計算によっても求められる。
【０１０３】
高分子媒体に用いる、（Ｂ）光重合開始剤としては、Ｊ．Ｐｈｏｔｏｃｈｅｍ．Ｓｃｉ．Ｔｅｃｈｎｏｌ．，２，２８３（１９７７）に記載される化合物、具体的には２，２−ジメトキシ−１，２−ジフェニルエタン−１−オン、１−（４−（２−ヒドロキシエトキシ）フェニル）−２−ヒドロキシ−２−メチル−１−プロパン−１−オン、ビス（２，４，６−トリメチルベンゾイル）フェニルフォスフィンオキサイド、２−ヒドロキシ−２−メチル−１−フェニルプロパン−１−オン、（１−ヒドロキシシクロヘキシル）フェニルケトン等を使用することができる。
【０１０４】
（Ｂ）光重合開始剤の使用量は、上記の（Ａ）樹脂１００質量部に対して０．１〜２０質量部であることが好ましく、０．２〜１０質量部であることがより好ましい。
【０１０５】
また、上記の（Ａ）エチレン性不飽和結合を有する置換基をもつ樹脂の他に、有機溶剤可溶型樹脂又は熱可塑性樹脂、例えば、ゲルパーミエーションクロマトグラフィーにより測定したポリスチレン換算の重量平均分子量が１，０００〜１００，０００のポリアクリル酸、ポリメタクリル酸等も高分子媒体の構成材料として併用することができる。
【０１０６】
また、高分子媒体中には、ジブチル錫ジラウレート等の着色防止剤等の添加物を必要に応じて添加してもよい。さらに、高分子媒体には、溶剤が含まれていてもよく、溶剤としては、テトラヒドロフラン、トルエン、ヘプタン、シクロヘキサン、エチルアセテート、エタノール、メタノール、酢酸イソアミル、酢酸ヘキシル等を用いることができる。
【０１０７】
光調整懸濁液中の分散媒としては、光調整懸濁液中で分散媒の役割を果たし、また光調整粒子に選択的に付着被覆し、高分子媒体との相分離の際に光調整粒子が相分離された液滴相に移動するように作用し、電気導電性がなく、高分子媒体とは親和性がない液状共重合体を使用することが好ましい。
【０１０８】
液状共重合体としては例えば、フルオロ基及び／又は水酸基を有する（メタ）アクリル酸エステルオリゴマーが好ましく、フルオロ基及び水酸基を有する（メタ）アクリル酸エステルオリゴマーがより好ましい。このような液状共重合体を使用すると、フルオロ基、水酸基のどちらか１つのモノマー単位は光調整粒子に向き、残りのモノマー単位は高分子媒体中で光調整懸濁液が液滴として安定に維持するために働くことから、光調整懸濁液内に光調整粒子が非常に均質に分散され、相分離の際に光調整粒子が相分離される液滴内に誘導される。
【０１０９】
このようなフルオロ基及び／又は水酸基を有する（メタ）アクリル酸エステルオリゴマーとしては、フルオロ基含有モノマー及び／又は水酸基含有モノマーを用いて共重合させたものが挙げられ、具体的には、メタクリル酸２，２，２−トリフルオロエチル／アクリル酸ブチル／アクリル酸２−ヒドロキシエチル共重合体、アクリル酸３，５，５−トリメチルヘキシル／アクリル酸２−ヒドロキシプロピル／フマール酸共重合体、アクリル酸ブチル／アクリル酸２−ヒドロキシエチル共重合体、アクリル酸２，２，３，３−テトラフルオロプロピル／アクリル酸ブチル／アクリル酸２−ヒドロキシエチル共重合体、アクリル酸１Ｈ，１Ｈ，５Ｈ−オクタフルオロペンチル／アクリル酸ブチル／アクリル酸２−ヒドロキシエチル共重合体、アクリル酸１Ｈ，１Ｈ，２Ｈ，２Ｈ−ヘプタデカフルオロデシル／アクリル酸ブチル／アクリル酸２−ヒドロキシエチル共重合体、メタクリル酸２，２，２−トリフルオロエチル／アクリル酸ブチル／アクリル酸２−ヒドロキシエチル共重合体、メタクリル酸２，２，３，３−テトラフルオロプロピル／アクリル酸ブチル／アクリル酸２−ヒドロキシエチル共重合体、メタクリル酸１Ｈ，１Ｈ，５Ｈ−オクタフルオロペンチル／アクリル酸ブチル／アクリル酸２−ヒドロキシエチル共重合体、メタクリル酸１Ｈ，１Ｈ，２Ｈ，２Ｈ−ヘプタデカフルオロデシル／アクリル酸ブチル／アクリル酸２−ヒドロキシエチル共重合体等が挙げられる。（メタ）アクリル酸エステルオリゴマーは、フルオロ基及び水酸基の両方を有することがより好ましい。
【０１１０】
これらの（メタ）アクリル酸エステルオリゴマーは、ゲルパーミエーションクロマトグラフィーで測定した標準ポリスチレン換算の重量平均分子量が１，０００〜２０，０００であることが好ましく、２，０００〜１０，０００であることがより好ましい。
【０１１１】
これらの（メタ）アクリル酸エステルオリゴマーの原料となるフルオロ基含有モノマーの使用量は、原料であるモノマー総量の６〜１２モル％であることが好ましく、より効果的には７〜８モル％である。フルオロ基含有モノマーの使用量が１２モル％を超える場合には、屈折率が大きくなり、光透過率が低下する傾向がある。また、これらの（メタ）アクリル酸エステルオリゴマーの原料となる、水酸基含有モノマーの使用量は０．５〜２２．０モル％であることが好ましく、より効果的には１〜８モル％である。水酸基含有モノマーの使用量が２２．０モル％を超える場合には、屈折率が大きくなり、光透過性が低下する傾向がある。
【０１１２】
本発明に使用される光調整懸濁液は、分散媒中に光調整粒子が流動可能に分散したものである。光調整粒子としては、例えば、高分子媒体、又は高分子媒体中の樹脂成分、即ち上記の（Ａ）エチレン性不飽和結合を有する置換基をもつ樹脂等と親和力がなく、また光調整粒子の分散性を高めることができる高分子分散剤の存在下で、光調整粒子の前駆体であるピラジン−２，３−ジカルボン酸・２水和物、ピラジン−２，５−ジカルボン酸・２水和物、ピリジン−２，５−ジカルボン酸・１水和物からなる群の中から選ばれた１つの物質と沃素及び沃化物を反応させて作ったポリヨウ化物の針状小結晶が、好ましく用いられる。使用しうる高分子分散剤としては、例えば、ニトロセルロース等が挙げられる。沃化物としては、沃化カルシウム等が挙げられる。このようにして得られるポリヨウ化物としては、例えば、下記一般式
ＣａＩ２（Ｃ６Ｈ４Ｎ２Ｏ４）・ＸＨ２Ｏ  （Ｘ：１〜２）
ＣａＩａ（Ｃ６Ｈ４Ｎ２Ｏ４）ｂ・ｃＨ２Ｏ  （ａ：３〜７、ｂ：１〜２、ｃ：１〜３）
で表されるものが挙げられる。これらのポリヨウ化物は針状結晶であることが好ましい。
【０１１３】
また、調光フィルム用光調整懸濁液に用いる光調整粒子として、米国特許第２，０４１，１３８号明細書（Ｅ．Ｈ．Ｌａｎｄ）、米国特許第２，３０６，１０８号明細書（Ｌａｎｄら）、米国特許第２，３７５，９６３号明細書（Ｔｈｏｍａｓ）、米国特許第４，２７０，８４１号明細書（Ｒ．Ｌ．Ｓａｘｅ）及び英国特許第４３３，４５５号明細書に開示されている光調整粒子も、使用することができる。これらの特許によって公知とされたポリヨウ化物の結晶は、ピラジンカルボン酸、又はピリジンカルボン酸の１つを選択して、沃素、塩素又は臭素と反応させることにより、ポリヨウ化物、ポリ塩化物又はポリ臭化物等のポリハロゲン化物とすることによって作製されている。これらのポリハロゲン化物は、ハロゲン原子が無機質又は有機質と反応した錯化合物で、これらの詳しい製法は、例えば、サックスの米国特許第４，４２２，９６３号明細書に開示されている。
【０１１４】
サックスが開示しているように、光調整粒子を合成する過程において、均一な大きさの光調整粒子を形成させるため、及び、特定の分散媒内での光調整粒子の分散性を向上させるため、上述したように高分子分散剤としてニトロセルロースのような高分子物質を使用することが好ましい。しかしながら、ニトロセルロースを用いると、ニトロセルロースで被覆された結晶が得られ、このような結晶を光調整粒子として用いる場合、光調整粒子は相分離の時に分離される液滴内に浮遊せず、樹脂マトリックス内に残存することがある。これを防ぐためには、高分子媒体の（Ａ）エチレン性不飽和結合を有する置換基を持つ樹脂として、エチレン性不飽和結合を有する置換基を持つシリコーン系樹脂を用いることが好ましく、シリコーン系樹脂を用いた場合には、フィルム製造の際に光調整粒子が相分離により形成された微細な液滴内へ容易に分散、浮遊し、その結果、より優れた可変能力を得ることができる。
【０１１５】
上記の光調整粒子の他、例えば、炭素繊維等の無機繊維、τ型無金属フタロシアニン、金属フタロシアニン等のフタロシアニン化合物等を使用することもできる。フタロシアニン化合物において、中心金属としては、銅、ニッケル、鉄、コバルト、クロム、チタン、ベリリウム、モリブデン、タングステン、アルミニウム、クロム等が挙げられる。
【０１１６】
本発明において、光調整粒子の大きさは１μｍ以下であることが好ましく、０．１〜１μｍであることがより好ましく、０．１〜０．５μｍであることがさらに好ましい。光調整粒子の大きさが１μｍ以下であれば、光散乱が生じにくく、電界が印加された場合に光調整懸濁液中での配向運動が低下する等、透明性が低下する問題の発生を回避できる。なお、光調整粒子の大きさは、サブミクロン粒子アナライザ、（例えば、製品名：Ｎ４ＭＤ、ベックマン・コールタ社製）で測定した光子相関分光分析法による体積平均粒径の値とする。
【０１１７】
本発明に使用される光調整懸濁液は、光調整粒子１〜７０質量％及び分散媒３０〜９９質量％からなることが好ましく、光調整粒子４〜５０質量％及び分散媒５０〜９６質量％からなることがより好ましい。
本発明における高分子媒体の屈折率と分散媒の屈折率は近似していることが好ましい。具体的には、本発明における高分子媒体と分散媒との屈折率の差は、好ましくは０．００５以下、より好ましくは０．００３以下である。
調光材料は、高分子媒体１００質量部に対して、光調整懸濁液を通常１〜１００質量部、好ましくは６〜７０質量部、より好ましくは６〜６０質量部含有する。
【０１１８】
＜透明導電性樹脂基材＞
本発明による調光材料を利用して調光フィルムを製造するときに使用される透明導電性樹脂基材としては、一般的に、透明樹脂基材に透明導電膜（ＩＴＯ、ＳｎＯ２、Ｉｎ２Ｏ３、有機導電膜等の膜）がコーティングされており、透明樹脂基材と透明導電層を合わせた光透過率が８０％以上であり、表面抵抗値が３〜３０００Ωの透明導電性樹脂基材を使用することができる。なお、透明導電性樹脂基材の光透過率はＪＩＳ  Ｋ７１０５の全光線透過率の測定法に準拠して測定することができる。また、透明樹脂基材としては、例えば、高分子フィルム等を使用することができる。
【０１１９】
上記高分子フィルムとしては、例えば、ポリエチレンテレフタレート等のポリエステル系フィルム、ポリプロピレン等のポリオレフィン系フィルム、ポリ塩化ビニル、アクリル樹脂系のフィルム、ポリエーテルサルフォンフィルム、ポリアリレートフィルム、ポリカーボネートフィルム等の樹脂フィルムが挙げられるが、ポリエチレンテレフタレートフィルムが、透明性に優れ、成形性、接着性、加工性等に優れるので好ましい。
【０１２０】
透明樹脂基材にコーティングされる透明導電膜の厚みは、１０〜５，０００ｎｍであることが好ましく、透明樹脂基材の厚みは特に制限はない。例えば、高分子フィルムの場合には１０〜２００μｍが好ましい。透明樹脂基材の間隔が狭く、異物質の混入等により発生する短絡現象を防止するために、透明導電膜の上に数ｎｍ〜１μｍ程度の厚さの透明絶縁層が形成されている透明樹脂導電性基材を使用してもよい。また、本発明の調光フィルムを反射型の調光窓に利用する場合（例えば、自動車用リアビューミラー等）は、反射体であるアルミニウム、金、又は銀のような導電性金属の薄膜を電極として直接用いてもよい。
【０１２１】
＜調光フィルム＞
本発明の調光フィルムは、透明導電膜と透明樹脂基材とを有する透明導電性樹脂基材を２つ、及び、前記２つの透明導電性樹脂基材の透明導電膜側で挟持された調光層を有し、前記２つの透明導電性樹脂基材の少なくとも一方の、前記透明導電膜面にプライマー層を有する。
調光層は、調光材料を用いて形成することが可能であり、調光材料は、高分子媒体から形成された樹脂マトリックスと、樹脂マトリックス中に分散した光調整懸濁液とからなる。
【０１２２】
本発明の調光フィルムは、プライマー層を有する一方の透明導電性樹脂基材の透明導電膜に絵や文字等の切り込み線を入れ、切り込み始点と切り込み終点を閉じて絵や文字の部分を周囲の透明導電性樹脂基材の透明導電膜から電気的に絶縁することにより、自在に文字や絵等のデザイン性のある部分の光透過性を他の部分と変えることが可能である。
透明導電膜に切り込み線を形成する方法は上述の通りであるが、具体的には、例えば、（１）透明樹脂基材に透明導電膜を形成し透明導電樹脂基材とし、透明導電膜側から切り込み線を形成した後、プライマー層を形成する方法、（２）基材に透明導電膜を形成し透明導電性樹脂基材とした後、又は調光フィルムとした後等に、透明樹脂基材側から透明導電膜に向かって切断する方法、（３）透明樹脂基材に透明導電膜を形成し透明導電性樹脂基材とし、更にプライマー層を形成した後且つ調光層を形成する前等に、プライマー層側から透明導電膜に向かって切断する方法等が挙げられる。
【０１２３】
調光フィルムを得るためには、まず、液状の光調整懸濁液を、高分子媒体と均質に混合し、光調整懸濁液が高分子媒体中に液滴状態で分散した混合液からなる調光材料を得る。
【０１２４】
具体的には、以下の通りである。光調整粒子を溶媒に分散した液と光調整懸濁液の分散媒を混合し、ロータリーエバポレーター等で溶媒を留去し、光調整懸濁液を作製する。
次いで、光調整懸濁液及び高分子媒体を混合し、光調整懸濁液が高分子媒体中に液滴状態で分散した混合液（調光材料）とする。
【０１２５】
この調光材料を、プライマー層を有する透明導電性樹脂基材の透明導電膜上に一定な厚さで塗布し、必要に応じて調光材料に含まれる溶剤を乾燥除去した後、高圧水銀灯等を用いて紫外線を照射し高分子媒体を硬化させる。その結果、硬化高分子媒体からなる樹脂マトリックス中に、光調整懸濁液が液滴状に分散されている調光層ができ上がる。
高分子媒体と光調整懸濁液との混合比率を様々に変えることにより、調光層の光透過率を調節することができる。このようにして形成された調光層の上に透明導電性樹脂基材の透明導電膜、好ましくはプライマー層を有する透明導電性樹脂基材の透明導電膜を密着させることにより、調光フィルムが得られる。２枚の透明導電性樹脂基材の両方あるいは一方の透明導電膜上にプライマー層を形成し、さらに両方のプライマー層上、あるいはプライマー層上と透明導電膜上に調光層を形成し、それらを調光層同士が密着するようにして積層してもよい。調光層の厚みは、５〜１，０００μｍが好ましく、２０〜１００μｍがより好ましい。
【０１２６】
樹脂マトリックス中に分散されている光調整懸濁液の液滴の大きさ（平均液滴径）は、通常０．５〜１００μｍ、好ましくは０．５〜２０μｍ、より好ましくは１〜５μｍである。液滴の大きさは、光調整懸濁液を構成している各成分の濃度、光調整懸濁液及び高分子媒体の粘度、光調整懸濁液中の分散媒の高分子媒体に対する相溶性等により決められる。平均液滴径は、例えば、ＳＥＭを用いて、調光フィルムの一方の面方向から写真等の画像を撮影し、任意に選択した複数の液滴直径を測定し、その平均値として算出することができる。また、調光フィルムの光学顕微鏡での視野画像をデジタルデータとしてコンピュータに取り込み、画像処理インテグレーションソフトウェアを使用し算出することも可能である。
【０１２７】
本発明における透明導電性樹脂基材のプライマー処理（プライマー層の形成）は、例えば、プライマー層を形成する材料を、バーコーター法、マイヤーバーコーター法、アプリケーター法、ドクターブレード法、ロールコーター法、ダイコーター法、コンマコーター法、グラビアコート法、マイクログラビアコート法、ロールブラッシュ法、スプレーコート法、エアーナイフコート法、含浸法、カーテンコート法等を単独又は組み合わせて用いて、透明導電性樹脂基材の透明導電膜に塗布することにより行うことができる。なお、塗布する際はプライマー層を形成する材料を必要に応じて適当な溶剤で希釈し、プライマー層を形成する材料の溶液を用いてもよい。溶剤を用いた場合には、透明導電性樹脂基材上に塗布した後乾燥を要する。尚、プライマー層となる塗膜は必要に応じて透明導電性樹脂基材の片面のみ（透明導電膜側）に形成してもよいし、含浸法やディップコート法によって両面に形成してもよい。
【０１２８】
プライマー層形成に用いる溶剤としては、プライマー層を形成する材料を溶解あるいは分散し、プライマー層形成後に乾燥等により除去できるものであればよく、イソプロピルアルコール、エタノール、メタノール、１−メトキシ―２−プロパノール、２−メトキシエタノール、シクロヘキサノン、メチルイソブチルケトン、アニソール、メチルエチルケトン、アセトン、テトラヒドロフラン、トルエン、ヘプタン、シクロヘキサン、エチルアセテート、プロピレングリコールモノメチルエーテルアセテート、ジエチルジグリコール、ジメチルジグリコール、酢酸イソアミル、酢酸ヘキシル等を用いることができ、これらの混合溶剤でも良い。
【０１２９】
調光層となる調光材料の塗布には、例えば、バーコーター、アプリケーター、ドクターブレード、ロールコーター、ダイコーター、コンマコーター等の公知の塗工手段を用いることができる。調光材料を、透明導電性樹脂基材の透明導電膜上に設けたプライマー層面に塗布し、あるいは、一方にプライマー層を有さない透明導電性樹脂基材を用いる場合には、透明導電性樹脂基材の透明導電膜に直接塗布することもできる。なお、塗布する際は、必要に応じて、適当な溶剤で希釈してもよい。溶剤を用いた場合には、透明導電性樹脂基材の透明導電膜上に塗布した後に乾燥を要する。
【０１３０】
調光材料の塗布に用いる溶剤としては、テトラヒドロフラン、トルエン、ヘプタン、シクロヘキサン、エチルアセテート、エタノール、メタノール、酢酸イソアミル、酢酸ヘキシル等を用いることができる。液状の光調整懸濁液が、固体の樹脂マトリックス中に微細な液滴形態で分散されている調光層を形成するためには、調光材料をホモジナイザー、超音波ホモジナイザー等で混合して高分子媒体中に光調整懸濁液を微細に分散させる方法、高分子媒体中の樹脂成分の重合による相分離法、調光材料に含まれる溶剤揮発による相分離法、又は温度による相分離法等を利用することができる。
【０１３１】
上記の方法によれば、電場の形成により任意に光透過率が調節できる調光フィルムが提供される。この調光フィルムは、電場が形成されていない場合にも、光の散乱のない鮮明な着色状態を維持し、電場が形成されると透明な状態に転換される。この能力は、２０万回以上の可逆的反復特性を示す。透明な状態においての光透過率増進と、着色された状態における鮮明度の増進のためには、液状の光調整懸濁液の屈折率と、樹脂マトリックスの屈折率を一致させることが好ましい。調光フィルムを作動させるための使用電源は交流で、１０〜１００ボルト（実効値）、３０Ｈｚ〜５００ｋＨｚの周波数範囲とすることができる。本発明の調光フィルムは、電界に対する応答時間を、消色時には１〜５０秒以内、着色時には１〜１００秒以内とすることができる。また、紫外線耐久性は、７５０Ｗ紫外線等を利用した紫外線照射試験の結果、２５０時間が経過した後にも安定な可変特性を示し、−５０℃〜９０℃で長時間放置した場合にも、初期の可変特性を維持することが可能である。
【０１３２】
従来技術である液晶を使用した調光フィルムの製造における、水を用いたエマルジョンによる方法を使用すると、液晶が水分と反応して光調整特性を失うことが多く、同一の特性のフィルムを製造しにくいという問題がある。本発明においては、液晶ではなく、光調整粒子が光調整懸濁液内に分散されている液状の光調整懸濁液を使用するため、液晶を利用した調光フィルムとは異なり、電界が印加されていない場合にも光が散乱せず、鮮明度が優れて視野角の制限のない着色状態を表す。そして、光調整粒子の含量、液滴形態や膜厚を調節したり、又は電界強度を調節することにより、光可変度を任意に調節できる。また、本発明の調光フィルムは、液晶を用いないことから、紫外線露光による色調変化及び可変能力の低下、大型製品特有の透明導電性樹脂基材の周辺部と中央部間に生ずる電圧降下に伴う応答時間差も解消される。
【０１３３】
本発明による調光フィルムに電界が印加されていないときには、光調整懸濁液内の光調整粒子のブラウン運動のため、光調整粒子の光吸収、２色性効果による鮮明な着色状態を示す。しかし、電界が印加されると、液滴又は液滴連結体の中の光調整粒子が電場に平行に配列され、透明な状態に転換される。一方で、絵や文字等のデザイン性のある部分は、該部分の導電膜を周りの導電膜から電気的に絶縁させることにより、絵や文字等のデザイン性のある部分の調光層の光透過性は着色状態を示す。絵や文字等のデザイン性のある部分の導電膜に接続する導線を付与すれば、絵や文字等の周りの調光層とは違う挙動で調光機能を有することも可能である。
【０１３４】
また、フィルム状態であるがため、液状の光調整懸濁液をそのまま使用する従来技術による調光硝子の問題点、即ち、２枚の透明導電性樹脂基材の間への液状の懸濁液の注入の困難性、製品の上下間の水圧差による下部の膨張現象、風圧等の外部環境による基材間隔の変化による局部的な色相変化、透明導電性樹脂基材の間の密封材の破壊による調光材料の漏洩が解決される。
【０１３５】
また、液晶を利用した従来技術による調光窓の場合には、液晶が紫外線に容易に劣化し、またネマチック液晶の熱的特性によりその使用温度の範囲も狭い。更に、光学特性面においても、電界が印加されていない場合には光散乱による乳白色の半透明な状態を示し、電界が印加される場合にも、完全には鮮明化せず、乳濁状態が残存する問題点がある。従って、このような調光窓では、既存の液晶表示素子で動作原理として利用されている光の遮断及び透過による表示機能が不可能である。しかし、本発明による調光フィルムを使用すれば、このような問題点が解決できる。
【０１３６】
本発明の調光フィルムは、透明導電性樹脂基材の透明導電膜の少なくとも一方にプライマー層を形成し、該プライマー層を有する一方の透明導電性樹脂基材の透明導電膜にのみ絵や文字の切り込み線を入れ、切り込み始点と切り込み終点を閉じて絵や文字の部分が周囲の透明導電性樹脂基材の透明導電膜から電気的に絶縁されており、調光フィルムの一部分のみの光透過性を制御できる調光フィルムである。
【０１３７】
本発明の調光フィルムは、例えば、室内外の仕切り（パーティッション）、建築物用の窓硝子／天窓、電子産業及び映像機器に使用される各種平面表示素子、各種計器板と既存の液晶表示素子の代替品、光シャッター、各種室内外広告及び案内標示板、航空機／鉄道車両／船舶用の窓硝子、自動車用の窓硝子／バックミラー／サンルーフ、眼鏡、サングラス、サンバイザー等の用途に好適に使用することができる。
【０１３８】
適用法としては、本発明の調光フィルムを直接使用することも可能であるが、用途によっては、例えば、本発明の調光フィルムを２枚の基材に挟持させて使用したり、基材の片面に貼り付けて使用したりしてもよい。前記基材としては、例えば、ガラスや、上記透明樹脂基材と同様の高分子フィルム等を使用することができる。
本発明による調光フィルムの構造及び動作を図面により更に詳しく説明すると、下記の通りである。
【０１３９】
図１は、本発明の一態様の調光フィルムの構造概略図で、調光層１が、透明導電膜５ａがコーティングされている２枚の透明樹脂基材５ｂからなる透明導電性樹脂基材４の間に挟まれている。調光層１と透明導電性樹脂基材４の間にはプライマー層６が設けられている。スイッチ８の切り換えにより、電源７と２枚の透明導電膜５の接続、非接続を行う。調光層１は、高分子媒体としての前記（Ａ）エチレン性不飽和結合を有する置換基をもつ樹脂を紫外線硬化させたフィルム状の樹脂マトリックス２と、樹脂マトリックス２内に液滴３の形態で分散されている液状の光調整懸濁液からなる。
【０１４０】
図２は、図１に示した調光フィルムの作動を説明するための図面で、スイッチ８が切られ、電界が印加されていない場合を示す。この場合には、液状の光調整懸濁液の液滴３を構成している分散媒９の中に分散している光調整粒子１０のブラウン運動により、入射光１１は光調整粒子１０に吸収、散乱又は反射され、透過できない。しかし、図３に示すように、スイッチ８を接続して電界を印加すると、光調整粒子１０が印加された電界によって形成される電場と平行に配列するため、入射光１１は配列した光調整粒子１０間を通過するようになる。このようにして、散乱及び透明性の低下のない光透過機能が付与される。
【実施例】
【０１４１】
以下、本発明の実施例及びその比較例によって本発明を更に具体的に説明するが、本発明はこれらの実施例に限定されるものではない。
【０１４２】
（光調整粒子の製造例）
光調整粒子を製造するために、撹拌機及び冷却管を装着した５００ｍｌの四つ口フラスコに、ニトロセルロース（商品名：１／４ＬＩＧ、ベルジュラックＮＣ社製）１５質量％の酢酸イソアミル（試薬特級、和光純薬工業（株）製）希釈溶液８７．５４ｇ、酢酸イソアミル４４．９６ｇ、脱水ＣａＩ２（化学用、和光純薬工業（株）製）４．５ｇ、無水エタノール（有機合成用、和光純薬工業（株）製）２．０ｇ、精製水（精製水、和光純薬工業（株）製）０．６ｇの溶液に、沃素（ＪＩＳ試薬特級、和光純薬工業（株）製）４．５ｇを溶解し、光調整粒子の基盤形成物質であるピラジン−２，５−ジカルボン酸２水和物（ＰｏｌｙＣａｒｂｏｎ  Ｉｎｄｕｓｔｒｉｅｓ製）３ｇを添加した。
４５℃で３時間撹拌して反応を終了させた後、超音波分散機で２時間分散させた。このとき、混合液の色相は、茶色から暗紺色に変化した。次に、反応溶液から一定な大きさの光調整粒子を取り出すために、遠心分離機を用いて光調整粒子を分離した。反応溶液を７５０Ｇの速度で１０分間遠心分離して沈殿物を取り除き、更に７３９０Ｇで２時間遠心分離して、浮遊物を取り除き、沈殿物粒子を回収した。この沈殿物粒子は、サブミクロン粒子アナライザ（製品名：Ｎ４ＭＤ、ベックマン・コールタ社製）で測定した平均粒径が０．３６μｍを有する針状結晶であった。この沈殿物粒子を光調整粒子とした。
【０１４３】
（光調整懸濁液の製造例）
前記の（光調整粒子の製造例）で得た光調整粒子４５．５ｇを、光調整懸濁液の分散媒としてのアクリル酸ブチル（和光特級、和光純薬工業（株）製）／メタクリル酸２，２，２−トリフルオロエチル（工業用、共栄社化学工業（株）製）／アクリル酸２−ヒドロキシエチル（和光１級、和光純薬工業（株）製）共重合体（モノマーモル比：１８／１．５／０．５、重量平均分子量：２，０００、屈折率１．４７１９）５０ｇに加え、撹拌機により３０分間混合した。次いで酢酸イソアミルを、ロータリーエバポレーターを用いて１３３Ｐａの真空で８０℃、３時間減圧除去し、光調整粒子の沈降及び凝集現象のない安定な液状の光調整懸濁液を製造した。
【０１４４】
（エネルギー線硬化型シリコーン系樹脂の製造例）
ディーンスタークトラップ、冷却管、撹拌機、加熱装置を備えた四つ口フラスコに、両末端シラノールポリジメチルシロキサン（試薬、チッソ（株）製）１７．８ｇ、両末端シラノールポリジメチルジフェニルシロキサン（試薬、チッソ（株）製）６２．２ｇ、（３−アクリロキシプロピル）メチルジメトキシシラン（試薬、チッソ（株）製）２０ｇ、２−エチルヘキサン錫（和光純薬工業（株）製）０．１ｇを仕込み、ヘプタン中で１００℃で３時間リフラックスし、反応を行った。次いで、トリメチルエトキシシラン（試薬、チッソ（株）製）２５ｇを添加し、２時間リフラックスし、脱アルコール反応させ、ヘプタンをロータリーエバポレーターを用いて１００Ｐａの真空で８０℃、４時間減圧除去し、重量平均分子量３５０００、屈折率１．４７４５のエネルギー線硬化型シリコーン系樹脂を得た。ＮＭＲの水素積分比からこの樹脂のエチレン性不飽和結合濃度は、０．３１モル／ｋｇであった。なお、エチレン性不飽和結合濃度は下記の方法により測定した。
【０１４５】
［エチレン性不飽和結合濃度の測定方法］
エチレン性不飽和結合濃度（モル／ｋｇ）は、ＮＭＲの水素積分比から算出した（エチレン性不飽和結合の水素の６ｐｐｍ近傍の積分値、フェニル基の水素の７．５ｐｐｍ近傍の積分値、及びメチル基の水素の０．１ｐｐｍ近傍の積分値を使用）。測定溶媒はＣＤＣｌ３とした。上記で製造した樹脂においては、ＮＭＲの水素積分比から算出した質量比率がメチル基：フェニル基：エチレン性不飽和結合基＝１１：６．４：１、全体の中のエチレン性不飽和結合基の割合は５．４％、各々の分子量から１分子あたりのエチレン性不飽和結合基の数は９．３５、よって、１ｋｇあたりのモル数は０．３１モル／ｋｇと算出した。
【０１４６】
（実施例１）
上記（エネルギー線硬化型シリコーン系樹脂の製造例）で得たエネルギー線硬化型シリコーン系樹脂１０ｇ、光重合開始剤としてのビス（２，４，６−トリメチルベンゾイル）フェニルフォスフィンオキサイド（チバ・スペシャルティ・ケミカルス（株）製）０．２ｇ、着色防止剤としてのジブチル錫ジラウレート０．３ｇに、前記（光調整懸濁液の製造例）で得た光調整懸濁液２．５ｇを添加し、１分間機械的に混合し、調光材料を製造した。
【０１４７】
一方、ＩＴＯ（インジウム錫の酸化物）の透明導電膜（厚み３００Å）がコーティングされている表面電気抵抗値が２００〜７００ΩのＰＥＴフィルム（３００Ｒ、東洋紡績（株）製、厚み１２５μｍ）からなる透明導電性樹脂基材の透明導電膜に、プライマー層を形成する際の溶液として、ペンタエリスリトールトリアクリレートとペンタエリスリトールテトラアクリレート混合物（商品名：アロニックスＭ−３０５、東亞合成（株）製）をメチルエチルケトン：シクロヘキサノン＝１：１の混合溶剤に５．０質量％となるように溶解させた溶液を、アプリケーター法を用いてギャップ１０μｍの条件で全面塗布して、５０℃／３０ｓ、６０℃／３０ｓ、７０℃／１ｍｉｎ乾燥後、ＵＶ照射１０００ｍＪ／ｃｍ２（メタルハライドランプ）で光硬化してプライマー層を形成した。この時、光重合開始剤（１−ヒドロキシシクロヘキシルフェニルケトン）をアロニックスＭ−３０５に対して３質量％になるように添加した。
プライマー層の厚みは、６８ｎｍであった。プライマー層の膜厚は、瞬間分光光度計Ｆ−２０（フィルメトリクス（株）製）を用いて測定した。
【０１４８】
上記、プライマー層を形成した透明導電性樹脂基材の上に、上記で得られた調光材料を全面塗布し、次いでその上に同様にプライマー層を形成した同じ透明導電性樹脂基材を透明導電膜が、調光材料の塗布層に向くようにして積層して密着させ、メタルハライドランプを用いて３０００ｍＪ／ｃｍ２の紫外線を前記積層した透明導電性樹脂基材のポリエステルフィルム側から照射し、光調整懸濁液が球形の液滴として紫外線硬化した樹脂マトリックス内に分散形成されたフィルム状の厚み９０μｍの調光層が透明導電性樹脂基材に挟まれた厚み３４０μｍ調光フィルムを製造した。
【０１４９】
次いで、カッティングプロッタＦＣ２２５０−６０ＶＣ（グラフテック（株）製）を用いて一方の透明導電性樹脂基材にのみ、透明導電性樹脂基材の透明樹脂基材側から透明導電膜まで、日立化成工業（株）のロゴの切り込み（ハーフカット）を入れた。さらに、この調光フィルムの端部２箇所において、２枚の透明導電性樹脂基材のそれぞれに三角形のハーフカットを施し、さらに調光層を除去して透明導電膜を電圧印加用の通電をとるために露出させた（図４参照）。調光フィルム中の光調整懸濁液の液滴の大きさ（平均液滴径）は、平均３μｍであった。
【０１５０】
この露出させた電極に１００Ｖ、５０Ｈｚの交流電圧を印加し、調光フィルム中の切り込み線の内側と外側の調光フィルムの光透過率を測定した。
結果を表１に示す。
【０１５１】
目視により調光フィルム端部（調光層が除去され透明導電膜が露出した部分）を観察したところ、調光フィルムの厚み方向中心部へ向かっての透明導電性樹脂基材の曲がりこみは、きわめて小さかった（図４）。
【０１５２】
［調光フィルムの光透過率の測定方法］
分光式色差計ＳＺ−Σ９０（日本電色工業（株）製）を使用し、Ａ光源、視野角２度で測定したＹ値（％）を光透過率とした。なお、電界印加時と未印加時の光透過率を測定した。
【０１５３】
【表１】
2014146051.tif 000028
【０１５４】
なお、図５の（ａ）に、実施例１で得られた調光フィルムの電界未印加時の表面の状態の写真を示し、（ｂ）に電界未印加時の裏面の状態の写真を示し、（ｃ）に電界印加時の表面の写真を示す。
【０１５５】
表１と図５に示すとおり、切り込み線の内側は電圧印加時でも、光透過率が電圧未印加時と同じで調光フィルムは全く駆動せず、コントラスト良く切り込み線の図形（ロゴ）の内側と外側で光透過率を変えることが出来た。このように文字や絵等のデザイン性に富んだ調光フィルムが容易に作製する方法を提供できた。
【０１５６】
（比較例１）
プライマー層を形成しない透明導電性樹脂基材のみを用いたことを除いては、実施例１と同様にして日立化成工業（株）のロゴの切り込み（ハーフカット）を入れた。
図６の（ａ）に比較例１で得られた調光フィルムの電界未印加時の表面の状態の写真を示し、（ｂ）に電界未印加時の裏面の状態の写真を示し、（ｃ）に電界印加時の表面の写真を示す。
図６から判るように、小さな四角部分では、カッティングプロッタの刃を引き上げる際に、調光層と透明導電性樹脂基材の密着性が悪いため、剥がれが生じてしまっている。
【０１５７】
（比較例２）
プライマー層を形成しない透明導電性樹脂基材のみを用いたことを除いては、実施例１と同様にして日立化成工業（株）のロゴの切り込み（ハーフカット）を入れ、さらにロゴを囲むように９ｃｍ×２０ｃｍのサイズにフルカットした。
なお、比較例２で得られた調光フィルムの未印加時の裏面の詳細を図７に示す。
図７から判るように、調光層と透明導電性樹脂基材の密着性が悪いため、透明導電性樹脂基材全体がずれて、透明導電性樹脂基材に入った切り込み線と、調光層に入った切り込み線にズレが生じてしまっている。
【０１５８】
（実施例２）
切り込みに用いた装置として、レーザーマーカー（（株）キーエンス製３−Ａｘｉｓ  ＹＶＯ４レーザーマーカー  ＭＤ−Ｖ９９１０、波長：１０６４ｎｍ）を用いたことを除いては、実施例１と同様にして正方形の切り込み（ハーフカット）を入れた。この時、レーザーパワーは３０％（ピークパワー１００ｋＷ）、スキャンスピードは１０００ｍｍ／ｓで描画を行った。
切り込み線の内側は電圧印加時でも、光透過率が電圧未印加時と同じで調光フィルムは全く駆動せず、コントラスト良く切り込み線の正方形の内側と外側で光透過率を変えることができた。
なお、図８の（ａ）に、実施例２で得られた調光フィルムの電界未印加時の表面の状態の写真を示し、（ｂ）に電界未印加時の裏面の状態の写真を示し、（ｃ）に電界印加時の表面の写真を示す。
表２に、電圧印加時及び未印加時における、ハーフカットした図形の内側と外側のそれぞれの光透過率を纏めた。
【０１５９】
【表２】
2014146051.tif 000029
【０１６０】
（実施例３）
プライマー層を形成する際の溶液として、ペンタエリスリトール骨格及びＩＰＤＩ骨格含有のウレタンアクリレートを主成分とするＡＹ４２−１５１（東レ・ダウコーニング（株）製）を１−メトキシ−２−プロパノール：エタノール＝７：３の混合溶剤に２．０質量％となるように溶解させた溶液を用いたことを除いては、実施例１と同様にして日立化成工業（株）のロゴの切り込み（ハーフカット）を入れた。プライマー層の厚みは、４５ｎｍであった。
切り込み線の内側は電圧印加時でも、光透過率が電圧未印加時と同じで調光フィルムは全く駆動せず、コントラスト良く切り込み線の内側と外側で光透過率を変えることができた。
【０１６１】
図９（ａ）に実施例３で得られた調光フィルムの電界未印加時の切込みを入れた表面の状態の写真を示し、（ｂ）に電界未印加時の切込みを入れた面の裏側の状態の写真を示し、（ｃ）に電界印加時の調光フィルムの表面の写真を示す。
図９から判るように、切り込み線の内側は電圧印加時でも、光透過率が電圧未印加時と同じで調光フィルムは全く駆動せず、コントラスト良く切り込み線の内側と外側で光透過率を変えることができた。
【０１６２】
（実施例４）
プライマー層を形成する際の溶液として、ペンタエリスリトールトリアクリレートトルエンジイソシアネートウレタンプレポリマー（商品名：ＵＡ−３０６Ｉ、共栄社化学（株）製）をメチルエチルケトン：シクロヘキサノン＝１：１の混合溶剤に５．０質量％となるように溶解させた溶液を用いたことを除いては、実施例１と同様にして円形の切り込み（ハーフカット）を入れた。プライマー層の厚みは、７９ｎｍであった。
切り込み線の内側は電圧印加時でも、光透過率が電圧未印加時と同じで調光フィルムは全く駆動せず、コントラスト良く切り込み線の内側と外側で光透過率を変えることができた。
【０１６３】
図１０（ａ）に実施例４で得られた調光フィルムの電界未印加時の切込みを入れた表面の状態の写真を示し、（ｂ）に電界未印加時の切込みを入れた面の裏側の状態の写真を示し、（ｃ）に電界印加時の調光フィルムの表面の写真を示す。
図１０から判るように、切り込み線の内側は電圧印加時でも、光透過率が電圧未印加時と同じで調光フィルムは全く駆動せず、コントラスト良く切り込み線の内側と外側で光透過率を変えることができた。
【０１６４】
表３に、実施例３及び４の電圧印加時及び未印加時における、ハーフカットした図形の内側と外側のそれぞれの光透過率を纏めた。
【０１６５】
【表３】
2014146051.tif 000030
【産業上の利用可能性】
【０１６６】
本発明の調光フィルムは、簡便に一部分だけ光透過性を他の部分と変える、あるいは文字や絵等のデザイン性のある部分の光透過性を他の部分と変えることができる。
【符号の説明】
【０１６７】
１    調光層
２    樹脂マトリックス
３    液滴
４    透明導電性樹脂基材
５ａ    透明導電膜
５ｂ    透明樹脂基材
６    プライマー層
７    電源
８    スイッチ
９    分散媒
１０    光調整粒子
１１    入射光
１２    調光層を除去して露出した透明導電膜の表面
１３    透明導電膜に電圧印加する導線
【図１】
2014146051.tif 000031
【図２】
2014146051.tif 000032
【図３】
2014146051.tif 000033
【図４】
2014146051.tif 000034
【図５】
2014146051.tif 000035
【図６】
2014146051.tif 000036
【図７】
2014146051.tif 000037
【図８】
2014146051.tif 000038
【図９】
2014146051.tif 000039
【図１０】
2014146051.tif 000040